(57)【要約】【課題】  プラスチックのリサイクルに関連するすべての業者間の連絡を迅速なものとして広範なプラスチックリサイクルシステムを提供すること。【解決手段】  システムを統括する統括サーバ２１を設け、使用済プラスチック製品を回収・輸送する収集業者１ｃ、使用済プラスチック製品を分解・分別・破砕してプラスチック原材料を作製するプラスチック再生業者２ａ、再生プラスチック材料を調製するプラスチック材製造業者３ａ、再生プラスチック製品を製作するプラスチック製品製造業者４ａは端末装置１，２，３，４を設け、統括サーバ２１と各業者の各端末装置とはインターネット５で接続され、顧客情報、各業者情報使用済プラスチック製品情報、製品回収・輸送情報、プラスチック原材料情報、再生プラスチック材料情報、及び再生プラスチック製品情報を授受する。【選択図】  図１
2005182360.tif 000002
【特許請求の範囲】
【請求項１】
使用済プラスチック製品から各種業者の処理を経て再生プラスチック製品を製造するプラスチックのリサイクルシステムであって、システムを統括するセンタに設けられ各種業者の情報を格納した統括サーバ装置と、使用済プラスチック製品を回収・輸送する収集業者に設けられた端末装置、該回収した使用済プラスチック製品を分解・分別・破砕してプラスチック原材料を作製するプラスチック材再生業者に設けられた端末装置、前記プラスチック原材料から再生プラスチック材料を調製するプラスチック材製造業者に設けられた端末装置、及び前記再生プラスチック材料から再生プラスチック製品を製作するプラスチック製品製造業者に設けられた端末装置のうち複数の端末装置を備え、
前記統括サーバと前記各業者の各端末とはネットワークで接続され、
顧客の依頼情報と各種業者の情報とに基づいて製品回収・輸送、プラスチック原材料の制作、再生プラスチック材料の調製及び再生プラスチック製品についての情報をネットワークを介して必要なデータを授受することを特徴とするプラスチックのリサイクルシステム。
【請求項２】
請求項１のプラスチックのリサイクルシステムにおいて、前記統括サーバには、前記収集業者、前記プラスチック再生業者業者、前記プラスチック材製造業者、及びプラスチック製品製造業者を地域別に分別した地域情報格納手段を備え、
前記統括サーバは、顧客の位置情報と地域格納手段に格納された地域を比較し、顧客に最も近い地域を特定し、該地域の業者の端末装置とデータの授受を行うことを特徴とするプラスチックのリサイクルシステム。
【請求項３】
請求項１または請求項２のプラスチックのリサイクルシステムにおいて、
前記統括サーバには、前記収集業者、前記プラスチック再生業者、前記プラスチック材製造業者、及びプラスチック製品製造業者が取り扱うプラスチックの種類別に分別した種類情報格納手段を備え、
前記統括サーバは顧客からの仕様情報を受け、この顧客の地域情報及び再生プラスチック製品の種別に該当する業者の端末装置とデータの授受を行うことを特徴とするプラスチックのリサイクルシステム。
【請求項４】
請求項１ないし請求項３のいずれかのプラスチックのリサイクルシステムにおいて、
統括サーバは、前記地域情報格納手段と、前記種別情報格納手段とを備え、
統括サーバは、顧客住所情報及びの使用済プラスチック製品または／及び再生プラスチック製品の仕様から該当業者を選択し、該業者の端末装置とデータの授受を行うことを特徴とするプラスチックのリサイクルシステム。
【請求項５】
請求項１ないし請求項３のいずれかのプラスチックのリサイクルシステムにおいて、
前記統括サーバは再生プラスチック製品を要望する顧客から仕様情報を受け、収集業者に使用済プラスチック製品、プラスチック再生業者の端末装置にプラスチック原材料の所有状況確認し、
仕顧客の仕様情報をプラスチック再生業者の端末装置と再生部品プラスチック製品製造業者の端末装置に指示し、
顧客指定の再生プラスチック製品を製作し顧客に提供することを特徴とするものであることを特徴とするプラスチックのリサイクルシステム。
【請求項６】
請求項１ないし請求項５のいずれかのプラスチックのリサイクルシステムにおいて、
統括サーバは、前記地域情報格納手段と、プラスチック再生業者業者の調製可能な再生プラスチック材料及び再生部品プラスチック製品製造業者の作成可能な再生プラスチック製品の情報を格納した作成可能情報格納手段とを備え、
統括サーバは再生プラスチック製品を製作を要望する顧客の、再生プラスチック製品の仕様情報を受け取り、
該再生プラスチック製品の使用情報で前記作成可能情報格納手段を参照してプラスチック材製造業者及びプラスチック製品製造業者を特定し、
前記特定されたプラスチック材製造業者の端末装置及びプラスチック製品製造業者の端末装置に情報を伝達することを特徴とするプラスチックのリサイクルシステム。
【発明の詳細な説明】
【技術分野】
【０００１】
本発明は、プラスチックのリサイクルシステムの技術に関する。詳細には、システムを統括する統括センタ、顧客の使用済プラスチック製品を回収・輸送する収集業者、回収プラスチック製品を分解・分別・破砕するプラスチック材製造業者に設けられた端末装置と、市場から使用済プラスチック材料を回収及び運搬をする収集業者回収業者に設けられた端末装置と、再生プラスチックを製作するプラスチック再生業者に設けられた端末装置と、再生部品を製作する成形メーカに設けられた端末装置とを備え〜する技術に関する。
【背景技術】
【０００２】
従来、使用済プラスチック製品を回収して、これを粉砕処理し、再度プラスチック原料を作成し、さらにこのプラスチック原料から新たなプラスチック製品を製造するプラスチックのリサイクルシステムは、製品メーカが指導的立場で、収集業者、プラスチック再生業者、樹脂メーカ、成形メーカに連絡を取り実施してきた。
【０００３】
しかし、これらについての情報は、各業者間だけのものとなっており公開されていない。近年の諸法規制が施行されている中で、製品メーカでプラスチックのリサイクルシステムについてそのメーカに適合するシステムを構築するには、多大な資金及び労力を費やさなければならない。
【０００４】
現在プラスチックのリサイクルシステムについて企業及び団体の多くは、回収プラスチック製品を熱資源として使用せざるをえないのが実状である。従来提案されたプラスチックのリサイクルシステムとしては以下のものがある。
【０００５】
特許文献１に開示されるプラスチックのリサイクルシステムは、効率的に再生プラスチック製造者を選択する事が出来る再生プラスチック製造者選択システムであり、再生プラスチック製造者選択システムは、再生プラスチック製造者選択装置と、製造者情報入力端末とがインターネットを介して接続されている。再生プラスチック製造者選択装置は、複数の再生プラスチック製造者のそれぞれの製造能力を格納する製造者情報データベースと、再生プラスチック製造者の選択条件を入力する入力手段と、入力手段から入力された選択条件と製造者情報データベースに格納された製造能力とに基づいて、再生プラスチック製造者を選択する製造者選択手段とを備える。
【０００６】
すなわち本例は、再生プラスチック製造者選択装置と製造者情報入力装置がインターネットで接続されており、再生プラスチック製造者選択装置には複数の再生プラスチック製造者のそれぞれの製造能力を格納する製造者情報と再生プラスチック製造者の選択条件を入力すると格納されている製造能力に基いて再生プラスチック製造者を選択するシステムである。
【０００７】
また、特許文献２の技術は、回収材料の適切な再生化を促進・資源化活用をインターネットで短時間で再生材料処理、機能性対応あるいは部品成形化までのメーカ他を確実に確保し、ＩＴ（情報技術）で処理生産先を紹介する事ができるようにするためのものである。
【０００８】
すなわち、材料データを表示するオーダリストを作成し、オーダリストに基づいて情報網を介して発行し、再生材料についての粉砕材提供を求め、提供される粉砕材についての測定された樹脂物性値を入力し、測定された樹脂物性値と製品要求値とを比較し、製品要求値を充足するために添加する添加物の添加比率によって基準物性値の各項目についての品質評価を行い、基準物性値での比較率に基づいて総合評価を選定し、該総合評価に基づいて発注先を特定し、発注先に対し、基準物性値の各項目について添加剤混入比率を指示および色調処理指示することによって要求物性ペレットの設定を行うものである。
【特許文献１】特開平２００２−２４３３３号公報
【特許文献２】特開平２００２−１７００１２号公報
【発明の開示】
【発明が解決しようとする課題】
【０００９】
しかしながら、特許文献１の技術は、再生プラスチック製造者を選択するだけであり、収集業者から、回収材製作、再生材製作、再生部品製作までのそれぞれの事業のすべてを対象とするものではない。
【００１０】
また、特許文献２の技術は顧客への提供品は成形部品であり、成型プラスチック製品に必要な特性になるよう色調処理支持するものである。従って、使用済プラスチック材料回収材、再生材、再生部品の販売のから見ると販売品が限定され、広域なプラスチックリサイクルシステムになっていない。
【００１１】
本発明は、プラスチックのリサイクルに関連するすべての業者において業者間の連絡を有効なものとして広範なプラスチックリサイクルシステムを提供することを目的とする。
【課題を解決するための手段】
【００１２】
本発明の解決しようとする課題は以上の如くであり、以下に課題を解決するための手段を説明する。
【００１３】
請求項１の発明は、使用済プラスチック製品から各種業者の処理を経て再生プラスチック製品を製造するプラスチックのリサイクルシステムであって、システムを統括するセンタに設けられ各種業者の情報を格納した統括サーバ装置と、使用済プラスチック製品を回収・輸送する収集業者に設けられた端末装置、該回収した使用済プラスチック製品を分解・分別・破砕してプラスチック原材料を作製するプラスチック材再生業者に設けられた端末装置、前記プラスチック原材料から再生プラスチック材料を調製するプラスチック材製造業者に設けられた端末装置、及び前記再生プラスチック材料から再生プラスチック製品を製作するプラスチック製品製造業者に設けられた端末装置のうち複数の端末装置を備え、前記統括サーバと前記各業者の各端末とはネットワークで接続され、顧客の依頼情報と各種業者の情報とに基づいて製品回収・輸送、プラスチック原材料の制作、再生プラスチック材料の調製及び再生プラスチック製品についての情報をネットワークを介して必要なデータを授受することを特徴とするものである。
【００１４】
請求項２の発明は、請求項１のプラスチックのリサイクルシステムにおいて、前記統括サーバには、前記収集業者、前記プラスチック再生業者業者、前記プラスチック材製造業者、及びプラスチック製品製造業者を地域別に分別した地域情報格納手段を備え、前記統括サーバは、顧客の位置情報と地域格納手段に格納された地域を比較し、顧客に最も近い地域を特定し、該地域の業者の端末装置とデータの授受を行うことを特徴とするものである。
【００１５】
請求項３の発明は、請求項１または請求項２のプラスチックのリサイクルシステムにおいて、前記統括サーバには、前記収集業者、前記プラスチック再生業者、前記プラスチック材製造業者、及びプラスチック製品製造業者が取り扱うプラスチックの種類別に分別した種類情報格納手段を備え、前記統括サーバは顧客からの仕様情報を受け、この顧客の地域情報及び再生プラスチック製品の種別に該当する業者の端末装置とデータの授受を行うことを特徴とするものである。
【００１６】
請求項４の発明は、請求項１ないし請求項３のいずれかのプラスチックのリサイクルシステムにおいて、統括サーバは、前記地域情報格納手段と、前記種別情報格納手段とを備え、統括サーバは、顧客住所情報及びの使用済プラスチック製品または／及び再生プラスチック製品の仕様から該当業者を選択し、該業者の端末装置とデータの授受を行うことを特徴とするものである。
【００１７】
請求項５に記載の発明は、請求項１ないし請求項４のいずれかのプラスチックのリサイクルシステムにおいて、統括サーバは、前記地域情報格納手段と、プラスチック再生業者業者の調製可能な再生プラスチック材料及び再生部品プラスチック製品製造業者の作成可能な再生プラスチック製品の情報を格納した作成可能情報格納手段とを備え、統括サーバは、プラスチック原材の製作から再生プラスチック製品の製作までを要望する顧客の回収製品の材料仕様情報、及び顧客の住所情報を受け取り、顧客の位置情報と地域格納手段に格納された地域を比較し、顧客に最も近いプラスチック再生業者の端末装置に情報を伝達し、回収製品の材料仕様と前記作成可能情報格納手段を参照してプラスチック材製造業者及びプラスチック製品製造業者を特定し、前記特定されたプラスチック材製造業者の端末装置及びプラスチック製品製造業者の端末装置に情報を伝達することを特徴とするものである。
【００１８】
請求項６に記載の発明は、請求項１ないし請求項５のいずれかのプラスチックのリサイクルシステムにおいて、統括サーバは、前記地域情報格納手段と、プラスチック再生業者の調製可能な再生プラスチック材料及び再生部品プラスチック製品製造業者の作成可能な再生プラスチック製品の情報を格納した作成可能情報格納手段とを備え、統括サーバは再生プラスチック製品を製作を要望する顧客の、再生プラスチック製品の仕様情報を受け取り、該再生プラスチック製品の使用情報で前記作成可能情報格納手段を参照してプラスチック材製造業者及びプラスチック製品製造業者を特定し、前記特定されたプラスチック材製造業者の端末装置及びプラスチック製品製造業者の端末装置に情報を伝達することを特徴とするものである。
【発明の効果】
【００１９】
本発明によれば、プラスチックリサイクルシスムにおいて、プラスチックリサイクルシステムにかかわるすべての業者等、すなわちシステムを統括するセンタ、使用済プラスチック製品を回収・輸送する収集業者、該回収した使用済プラスチック製品を分解・分別・破砕してプラスチック原材料を作製するプラスチック材製造業者、前記プラスチック原材料から再生プラスチック材料を調製するプラスチック再生業者、前記再生プラスチック材料から再生プラスチック製品を製作するプラスチック製品製造業者の間で使用済プラスチック製品や地域に関する情報を自由にやり取りできるから、プラスチックリサイクルシステムの効率を高いものとすることができる。
【発明を実施するための最良の形態】
【００２０】
次に、発明の実施の形態を説明する。図１は本発明の第１の実施形態に係るプラスチックのリサイクルシステムの全体的な構成を示したブロック図、図２は図１に示したプラスチックのリサイクルシステムの統括サーバと端末装置との接続状態を示すブロック図である。
【００２１】
本例は、顧客１０から使用済プラスチック製品を受取、この使用済プラスチック製品から再生プラスチック製品を製造するプラスチックのリサイクルシステムである。システムを統括するセンタである例えば商社等のプラスチックリサイクル促進センタ２０には統括サーバ２１が設けられている。
【００２２】
また、使用済プラスチック製品を回収・輸送する収集業者１ａ、該回収した使用済プラスチック製品を分解・分別・破砕してプラスチック原材料を作製するプラスチック再生業者２ａ、前記プラスチック原材料から再生プラスチック材料を調製するプラスチック材製造業者３ａ、前記再生プラスチック材料から再生プラスチック製品を製作するプラスチック製品製造業者４ａには、図２に示すように、前記統括サーバとインターネット５等のネットワークで接続された端末装置１，２，３，４がそれぞれ設けられている。なお、顧客１０とプラスチックリサイクル促進センタ２０の統括サーバ２１には電子メール、インターネット、その他の手段で受け取った情報が入力される。
【００２３】
顧客１０から、使用済プラスチック製品を回収して、この使用済プラスチック製品から再生プラスチック製品を納入してほしいとの要望があった場合について説明する。
【００２４】
まず顧客１０とプラスチックリサイクル促進センタ２０とは、インターネット、電話、ファクシミリ等を用いて商談を行う。そして、統括サーバ２１は、受け取った顧客の住所情報使用済プラスチック製品情報及び再生プラスチック製品の情報に基づいて、各端末装置１，２，３，４とネットワークを介して必要なデータをやり取りする。
【００２５】
すると収集業者１ａは１０に使用済プラスチック製品を回収して、プラスチック再生業者２ａに搬入する。プラスチック再生業者２ａは使用済プラスチック製品を粉砕加工して、プラスチック原材料を作製する。次いで、プラスチック製品製造業者４ａはこのプラスチック原材料から顧客が発注した使用の再生プラスチック製品を製造して顧客に納入する。
【００２６】
次に本発明に係る第２のプラスチックのリサイクルシステムの実施の形態について説明する。図３は本発明の第２の実施形態に係るプラスチックのリサイクルシステムの全体的な構成を示したブロック図、図４は図３に示したプラスチックのリサイクルシステムの地域テーブルの内容の一例を示す図、図５は図３に示したプラスチックのリサイクルシステムの材料種類テーブルの内容の一例を示す図である。
【００２７】
本例では、前記統括サーバ２１には、複数の収集業者１ａ，１ｂ，１ｃ，１ｄ…、複数のプラスチック再生業者２ａ，２ｂ，２ｃ，２ｄ…、複数のプラスチック材製造業者３ａ，３ｂ，３ｃ、３ｄ…、プラスチック製品製造業者４ａ，４ｂ，４ｃ、４ｄ…の端末装置が接続されている。そして、これらの業者を地域別に分別した地域情報格納手段として地域情報テーブル２２を備えている。この地域情報テーブル２２は例えば、図４に示したように、地域Ｉには、収集業者１ａ、プラスチック再生業者２ｂ、プラスチック材製造業者３ｂ、プラスチック製品製造業者４ａを、地域ＩＩには収集業者１ｂ、プラスチック再生業者２ａ、プラスチック材製造業者３ｃ、プラスチック製品製造業者４ｄ…、を配置したものである。もちろん一地域に一業者に限らず複数の業者を配置することができる。なお、地域の分割として例えば都道府県及び東北、関東、甲信越、中部、関西、四国、中国、九州とすることができる。
【００２８】
本例では統括サーバ２１は、顧客１０の位置情報と地域情報テーブル２２に格納された地域を比較し、顧客に最も近い地域を特定し、特定された地域の業者とデータの授受を行う。すなわち地域Ｉの顧客１０からの依頼があった場合には、収集業者１ａ、プラスチック再生業者２ｂ、プラスチック材製造業者３ｂ、プラスチック製品製造業者４ａを選択して各端末装置とデータのやり取りを行う。このようにして、図６に示すように、顧客１０から収集業者１ａが使用済プラスチック製品を回収して、プラスチック再生業者２ｂに配送し、プラスチック再生業者２ｂではこの使用済みプラスチック製品からプラスチック原材料を製造し、プラスチック材製造業者３ｂはプラスチック原材料からプラスチック材を製造する。さらにプラスチック製品製造業者４ａは、プラスチック材から再生プラスチック製品を製造して顧客に納入する。
【００２９】
本例によれば、収集業者、プラスチック再生業者、プラスチック材製造業者、プラスチック製品製造業者とのネットワークには、特定地域に複数業者がそれぞれの業種に参画しており、顧客の地域に近い、夫々の業者を活用することにより、リサイクル期間の短縮、輸送距離の短縮を実現でき安価なプラスチックリサイクルが可能となる。
【００３０】
また、本例では、上記各業者を取り扱い可能プラスチック種類別に分別した材料種類情報格納手段として種類情報テーブル２３を備えている。この種類情報テーブル２３は例えば、図５に示したように、プラスチックの種類Ａには、収集業者１ａ、プラスチック再生業者２ａ、プラスチック材製造業者３ｂ、プラスチック製品製造業者４ａを、地域ＩＩには収集業者１ｂ、プラスチック再生業者２ｂ、プラスチック材製造業者３ａ、プラスチック製品製造業者４ｄ…、を配置したものである。もちろん一材料種類に一業者に限らず複数の業者を配置することができる。
【００３１】
この種類情報テーブル２３を利用する場合、統括サーバ２１は、顧客１０の使用済みプラスチック製品のプラスチックの種類と種類情報テーブル２３に格納された種類とを比較し、顧客の使用済みプラスチック製品の種類に合致する業者を特定し、データの授受を行う。すなわち使用済みプラスチック製品の種類がＢである場合には、収集業者１ａ、プラスチック再生業者２ｂ、プラスチック材製造業者３ｂ、プラスチック製品製造業者４ａを選択して各端末装置とデータのやり取りを行う。このように、顧客１０から収集業者１ａが使用済プラスチック製品を回収して、プラスチック再生業者２ｂに配送し、プラスチック再生業者２ｂではこの使用済みプラスチック製品からプラスチック原材料を製造し、プラスチック材製造業者３ｂはプラスチック原材料からプラスチック材を製造する。さらにプラスチック製品製造業者４ａは、プラスチック材から再生プラスチック製品を製造して顧客に納入する。
【００３２】
従って本例によれば、特定の種類のプラスチックのリサイクルを確実に行うことができる。さらに、本発明では地域情報テーブル２２と、上記種類情報テーブル２３を併用することにより、特定の種類のプラスチックのリサイクルを少ない手間と少ない輸送コストで実現できる。
【００３３】
なお、本発明は顧客１０から回収した使用済みプラスチック製品を再生プラスチック製品として顧客１０に納入する場合の他、以下の場合にも有効である。
【００３４】
図７に示す例は、前記統括サーバ２１は再生プラスチック製品の納入のみを要望する顧客から仕様情報を受け、前記地域情報テーブル２２及び種類情報テーブル２３を参照して、選択されたプラスチック再生業者２ｂの端末装置にプラスチック原材料の所有状況確認し、顧客の仕様情報をプラスチック材製造業者３ｂの端末装置とプラスチック製品製造業者４ｄの端末装置に指示し、顧客指定の再生プラスチック製品を製作し顧客１０に提供する。
【００３５】
この例によれば、再生プラスチック製品のみ要望の顧客への対応をすることにより、プラスチックのリサイクルを行うことができる。
【００３６】
図８に示す例は、前記統括サーバ２１は使用済みプラスチック製品の処理のみを要望する顧客１０から仕様情報を受け、上記地域情報テーブル２２と種類情報テーブル２３とを参照して収集業者１ｃの端末装置の端末装置に顧客１０の情報を通知し、プラスチック再生業者２ａとプラスチック材製造業者３ａの端末装置に指示し、プラスチック原材料を製造する。
【００３７】
また、顧客がプラスチック原材の製作から再生プラスチック製品の製作までを要望する場合には、顧客の回収製品の材料仕様情報、及び顧客の住所情報を受け取り、地域情報テーブル２２及び種類情報テーブル２３を参照して、顧客に最も近いプラスチック再生業者の端末装置に情報を伝達し、回収製品の材料仕様と前記作成可能情報格納手段を参照してプラスチック材製造業者及びプラスチック製品製造業者を特定し再生プラスチック製品を納入することができる。
【００３８】
以上のように、本発明に係るプラスチックのリサイクルシステムでは、どのようなリサイクルの形態にも対応して少ない費用で速やかなプラスチックのリサイクルを行うことができる。すなわち、本発明によれば、インターネット等のネットを使用することにより多くの企業及び団体の参画を可能にし、資源有効利用に寄与することができる。また、収集業者、プラスチック再生業者、プラスチック材製造業者、プラスチック製品製造業者を特定地域に複数業者を参加させることにより、顧客の地域に近い業者を活用し、コスト及び製作期間の最適化されたプラスチックリサイクル可能とする。さらに、使用済みプラスチック製品が無く、再生プラスチック製品のみを望む顧客、プラスチック材製造から再生プラスチック製品の製作までを望む顧客、再生プラスチック製品だけを望む顧客に対応することができる。
【図面の簡単な説明】
【００３９】
【図１】本発明の第１の実施形態に係るプラスチックのリサイクルシステムの全体的な構成を示したブロック図である。
【図２】図１に示したプラスチックのリサイクルシステムの統括サーバと端末装置との接続状態を示すブロック図である。
【図３】本発明の第２の実施形態に係るプラスチックのリサイクルシステムの全体的な構成を示したブロック図である。
【図４】図３に示したプラスチックのリサイクルシステムの地域テーブルの内容の一例を示す図である。
【図５】図３に示したプラスチックのリサイクルシステムの材料種類テーブルの内容の一例を示す図である。
【図６】本発明の実施形態に係るプラスチックのリサイクルシステムの全体的な構成を示したブロック図である。
【図７】本発明の実施形態に係るプラスチックのリサイクルシステムの全体的な構成を示したブロック図である
【図８】本発明の実施形態に係るプラスチックのリサイクルシステムの全体的な構成を示したブロック図である。
【符号の説明】
【００４０】
１，２，３，４ 端末装置
１ａ，１ｂ，１ｃ，１ｄ       収集業者
２ａ，２ｂ，２ｃ，２ｄ       プラスチック再生業者
３ａ，３ｂ，３ｃ     プラスチック材製造業者
４ａ，４ｂ，４ｃ     プラスチック製品製造業者
５     インターネット
１０   顧客
２０   プラスチックリサイクル促進センタ
２１   統括サーバ
２２   地域情報テーブル
２３   種類情報テーブル
【図１】
2005182360.tif 000003
【図２】
2005182360.tif 000004
【図３】
2005182360.tif 000005
【図４】
2005182360.tif 000006
【図５】
2005182360.tif 000007
【図６】
2005182360.tif 000008
【図７】
2005182360.tif 000009
【図８】
2005182360.tif 000010